(57)【特許請求の範囲】
【請求項１】
電動車両の駆動輪を制動して回生発電を行うモータジェネレータと、
前記モータジェネレータで発電した回生電力が供給されるバッテリと、
前記バッテリの充電率を検出する充電率検出手段と、
前記バッテリの充電率に応じて、前記モータジェネレータの回生発電を制御する制御手段と、を備えた電動車両の回生制御装置において、
前記制御手段は、前記回生発電の作動と停止とを複数回繰り返し行うことで前記モータジェネレータによる回生電流の断続を伴う一連の回生制御を実施すると共に、前記一連の回生制御のうち各回に発生される前記回生電流を一定に維持し、更に、前記充電率が大きくなるに従って前記各回における一定に維持された前記回生電流を小さくすることを特徴とする電動車両の回生制御装置。
【請求項２】
請求項１に記載の電動車両の回生制御装置において、
前記制御手段は、前記バッテリの充電率が所定値未満の際は、前記充電率が大きくなるに従って前記回生電流を小さくすることを禁止することを特徴とする電動車両の回生制御装置。
【請求項３】
請求項１又は請求項２に記載の電動車両の回生制御装置において、
前記バッテリの温度を検出する温度検出手段を更に備え、
前記制御手段は、前記バッテリの温度が高くなるに従って前記回生電流を大きくすることを特徴とする電動車両の回生制御装置。
【発明の詳細な説明】
【技術分野】
【０００１】
本発明は、電動車両の回生制御装置に関する。
【背景技術】
【０００２】
電気自動車（ＥＶ）やハイブリッド車（ＨＥＶ、ＰＨＥＶ）等の電動車両は、複数の蓄電池（二次電池；以降、電池と呼ぶ。）を有するバッテリ装置と、バッテリ装置からの電力の供給により回転するモータとを有しており、モータを動力源として駆動輪を駆動している。このような電動車両においては、制動時に、モータの回生トルクで駆動輪の制動を行うと共に、駆動輪のトルクを利用してモータで発電し、発電した電力を電池に充電することにより、電力の回生を行っている。
【先行技術文献】
【特許文献】
【０００３】
【特許文献１】特開２００５−０３３９８１号公報
【発明の概要】
【発明が解決しようとする課題】
【０００４】
上述した電動車両において、回生の際には、電池の過充電を防ぐため、電池電圧の上限電圧を上回らないように、回生電流を制御している。例えば、図７に示すように、制動時には、モータにより電池に流れる回生電流が生成されるが、電池電圧の上限電圧Ｖｕに到達するまでは、流すことができる最大の回生電流を用いて、回生が行われる。そして、制動が断続的に続いていくと、電池電圧も上昇していくことになり、電池電圧が上限電圧Ｖｕに到達する時間ｔにおいて、回生電流を減少させることになる。なお、図７においては、１つのパルスが１回の制動を示しており、パルスの幅は、図を簡単にするため、全て同じ幅としている。
【０００５】
バッテリ装置に使用される電池には、入力特性（充電特性）が比較的良い電池があるが、減少させる回生電流は、このような特性の電池では比較的大きくなる。このような電池は、入力特性が良いため、満充電付近においても、回生電流の受入性が入力初期と変わらず、１回の制動時における電池電圧の上昇が大きい。そのため、電池電圧の上限電圧Ｖｕを越えないように回生発電を制御する際には、図７に示すように、電池電圧が上限電圧Ｖｕに到達する時間ｔにおいて、回生発電量を一気に大きく減少させることとなり、減少させる回生電流が大きくなる。
【０００６】
回生制動中に回生電流を絞ると、電流減少に応じて回生トルクも減少し（回生トルクの抜け）、その結果、トルク抜けによる制動力の減少に繋がる。そして、回生制動中に減少される回生電流が大きい場合には、回生トルク、即ち、制動力も大きく減少するため、回生制動中に運転者がフットブレーキ操作をしている際には、トルク抜けによるブレーキフィーリングの違和感となり、運転者からすると、ブレーキペダルを一定の力で踏んでいたにもかかわらず、ブレーキ力が低下したと感じることになる。
【０００７】
本発明は上記課題に鑑みなされたもので、電池電圧が上限付近まで高まっている際に回生制動中の回生電流、回生トルクの大きな変動を抑制する電動車両の回生制御装置を提供することを目的とする。
【課題を解決するための手段】
【０００８】
上記課題を解決する第１の発明に係る電動車両の回生制御装置は、
電動車両の駆動輪を制動して回生発電を行うモータジェネレータと、
前記モータジェネレータで発電した回生電力が供給されるバッテリと、
前記バッテリの充電率を検出する充電率検出手段と、
前記バッテリの充電率に応じて、前記モータジェネレータの回生発電を制御する制御手段と、を備えた電動車両の回生制御装置において、
前記制御手段は、前記回生発電の作動と停止とを複数回繰り返し行うことで前記モータジェネレータによる回生電流の断続を伴う一連の回生制御を実施すると共に、前記一連の回生制御のうち各回に発生される前記回生電流を一定に維持し、更に、前記充電率が大きくなるに従って前記各回における一定に維持された前記回生電流を小さくすることを特徴とする。
【０００９】
上記課題を解決する第２の発明に係る電動車両の回生制御装置は、
上記第１の発明に記載の電動車両の回生制御装置において、
前記制御手段は、前記バッテリの充電率が所定値未満の際は、前記充電率が大きくなるに従って前記回生電流を小さくすることを禁止することを特徴とする。
【００１０】
上記課題を解決する第３の発明に係る電動車両の回生制御装置は、
上記第１又は第２の発明に記載の電動車両の回生制御装置において、
前記バッテリの温度を検出する温度検出手段を更に備え、
前記制御手段は、前記バッテリの温度が高くなるに従って前記回生電流を大きくすることを特徴とする。
【発明の効果】
【００１２】
本発明によれば、バッテリの充電率が高くなるにつれて回生電流が減少されるので、充電率と相関のあるバッテリの上限電圧を越えないように回生制動力を徐々に減少させることができる。従って、回生発電によりバッテリ電圧が上限電圧を越えてしまうことによる回生発電制御の禁止を回避することができ、回生発電制御禁止によるトルク抜けを回避できる。よって、運転者に違和感のない回生トルクを与えることができ、その結果、回生制動している際にトルクが突然抜けるというブレーキフィーリングの違和感を解消することもできる。
【図面の簡単な説明】
【００１３】
【図１】本発明に係る電動車両の回生制御装置を示す概略構成図である。
【図２】図１に示した電動車両の回生制御装置における制御の一例（実施例１）を説明するフローチャートである。
【図３】図２に示した制御で用いるマップである。
【図４】図２に示した制御による電池電圧、回生電流及び回生トルクの変化の一例を示すタイムチャートである。
【図５】図１に示した電動車両の回生制御装置における制御の他の一例（実施例２）を説明するフローチャートである。
【図６】図５に示した制御で用いるマップである。
【図７】従来の回生制御による電池電圧、回生電流及び回生トルクの変化を示すタイムチャートである。
【発明を実施するための形態】
【００１４】
以下、図１〜図６を参照して、本発明に係る電動車両の回生制御装置の実施形態を説明する。なお、本発明に係る電動車両の回生制御装置は、電気自動車を例に取って説明を行うが、電気自動車に限らず、ハイブリッド車等の電動車両にも適用可能である。
【００１５】
（実施例１）
図１は、本実施例の電動車両の回生制御装置を示す概略構成図であり、図２は、図１に示した電動車両の回生制御装置における制御を説明するフローチャートであり、図３は、図２に示した制御で用いるマップであり、図４は、図２に示した制御による電池電圧、回生電流及び回生トルクの変化を示すタイムチャートである。
【００１６】
本実施例において、車両１０は電気自動車である。車両１０は、左右の前輪１１Ｌ、１１Ｒ、左右の後輪１２Ｌ、１２Ｒを有しており、前輪１１Ｌ、１１Ｒには各々ブレーキ装置１３Ｌ、１３Ｒが設けられ、後輪１２Ｌ、１２Ｒにも各々ブレーキ装置１４Ｌ、１４Ｒが設けられている。
【００１７】
本実施例において、車両１０は後輪駆動であり、後輪１２Ｌ、１２Ｒがギアボックス１５を介して、モータ（モータジェネレータ）１６と機械的に接続されており、モータ１６を回転させることにより、後輪１２Ｌ、１２Ｒが駆動される。このモータ１６は、発電機としても機能するものである。なお、図１中の“Ｆｒ”は、車両前方を示し、ここでは、後輪駆動の構成を例示しているが、前輪駆動の構成でもよく、四輪駆動の構成でもよい。
【００１８】
モータ１６は、直流−交流変換を行うインバータ１７、電源ケーブル２０を介して、バッテリ装置（バッテリ）１８と電気的に接続されており、バッテリ装置１８からの電力は、インバータ１７、電源ケーブル２０を介して、モータ１６に供給される。このインバータ１７には、モータトルクを指示するＥＣＵ（Electronics Control Unit；制御手段）１９が接続されている。又、バッテリ装置１８は、複数の電池を有しており、その電池温度、回生電流、電池電圧、ＳＯＣ（State of Charge；充電率）等をＥＣＵ１９へ出力している。
【００１９】
ＥＣＵ１９は、ハードウェアとして、演算を行うＣＰＵ（マイクロコンピュータ）と、制御プログラムの格納領域となるＲＯＭ（リードオンリメモリ）と、制御プログラムの作動領域となるＲＡＭ（ランダムアクセスメモリ）と、種々の信号の入出力を行うＩ／Ｏインターフェイス等から構成されており、ソフトウェアとして、所定の制御を行う制御プログラムを有している。
【００２０】
そして、ＥＣＵ１９は、例えば、車両１０を走行させる場合には、車速やアクセルペダル（図示省略）の開度等に応じて、インバータ１７に適切な走行トルクを指示し、指示された走行トルクを出力するように、バッテリ装置１８から供給された電力を用いて、モータ１６を回転して、後輪１２Ｌ、１２Ｒを駆動している。
【００２１】
一方、車両１０の制動時には、ＥＣＵ１９は、ブレーキペダル（図示省略）の踏込量等に応じて、ブレーキ装置１３Ｌ、１３Ｒ、１４Ｌ、１４Ｒを制御して、前輪１１Ｌ、１１Ｒ、後輪１２Ｌ、１２Ｒを制動しているが、モータ１６の回生トルクも利用して、後輪１２Ｌ、１２Ｒを制動している。このとき、駆動輪である後輪１２Ｌ、１２Ｒのトルクを利用して、モータ１６で発電し、発電した電力（回生電力）を、インバータ１７、電源ケーブル２０を介して、バッテリ装置１８に供給しており、これにより、回生発電を行うことになる。なお、回生トルクは、ブレーキペダルの踏込量に応じたもの（ブレーキペダル回生）に加えて、エンジン車におけるエンジンブレーキに相当するもの(エンジンブレーキ回生)の２種類がある。
【００２２】
そして、本実施例の電動車両の回生制御装置においても、バッテリ装置１８の電池電圧が上限電圧に到達したとき、モータ１６の回生トルクを制限して、バッテリ装置１８に流す回生電流を制限するが、ＥＣＵ１９は、回生電流が制限された際の回生制動中の回生トルクの大きな変動を抑制するため、バッテリ装置１８の状態（ＳＯＣ）を監視し、そのＳＯＣに応じた回生電流を求め、当該回生電流を越えないように、モータ１６の回生トルクを制御している。このような制御について、図１と共に、図２のフローチャート、図３のマップ、図４のタイムチャートを参照して説明する。なお、図４においては、１つのパルスが１回の制動を示しており、パルスの幅は、図を簡単にするため、全て同じ幅としている。又、比較のため、従来の回生電流と回生トルクのタイムチャートを点線で図示している。
【００２３】
まず、バッテリ装置１８から出力されるＳＯＣを監視する（ステップＳ１）。バッテリ装置１８のＳＯＣは、その電池電圧に相関するものであり、例えば、バッテリ装置１８内に、バッテリ装置１８の電池電圧を測定し、測定した電池電圧からＳＯＣを算出する監視ユニット（充電率検出手段）を設け、この監視ユニットからＥＣＵ１９へＳＯＣを出力することで、バッテリ装置１８のＳＯＣを監視している。又、バッテリ装置１８からＥＣＵ１９へ出力される電池電圧からＳＯＣを算出することで、ＥＣＵ１９（充電率検出手段）自体によりバッテリ装置１８のＳＯＣを監視してもよい。
【００２４】
図３に示すＳＯＣに対する回生電流のマップから、出力されたＳＯＣに対する回生電流を算出する（ステップＳ２）。算出した回生電流は、当該条件下において流すことができる最大の電流値（上限値）を意味する。なお、図３に示すマップにおいて、ＳＯＣに対する回生電流は、ＳＯＣが所定値未満の場合（例えば、満充電の半分より小さい場合）は略一定の大きさであるが、所定値以上となると、ＳＯＣが大きくなるにしたがって、回生電流を小さくしている。これは、ＳＯＣが所定値未満の場合（満充電の半分より小さい場合）には、バッテリ装置１８に十分な充電電力を供給したとしても、バッテリ装置１８の上限電圧に到達することはないので、できる限りの回生電力を供給した方が、バッテリ装置１８の充電を効率よく行えるからである。従って、ＳＯＣが所定値未満の場合には、所定値以上の場合とは異なり、ＳＯＣが大きくなるにしたがって、回生電流を小さくすることを禁止している。
【００２５】
そして、算出した回生電流を越えないように、モータ１６の回生トルクをインバータ１７へ指示する（ステップＳ３）。つまり、バッテリ装置１８のＳＯＣに応じ、ＳＯＣが所定値以上であれば、ＳＯＣが大きくなるにしたがって、回生電流を小さくしている。このような制御を行うと、図４に示すように、回生が行われる度に電池電圧は上昇していくが、電池電圧の上昇に応じて、ＳＯＣが大きくなるため、所定値以上のＳＯＣでは、回生電流が絞られて、減少していく。そのため、電池電圧が上限電圧Ｖｕに到達する時間ｔにおいては、既に回生電流が減少している状態であるので、従来のように回生電流を一気に大きく減少させる必要はない。その結果、電池電圧が上限電圧Ｖｕを上回らないように、回生電流を制御でき、又、電池電圧が上限電圧付近まで高まっている際の回生電流の変化及び回生トルクの変化が少なくなるので、ブレーキフィーリングの違和感を解消することができる。
【００２６】
ここで、図４においては、制動開始時に、図３に示したマップを用い、バッテリ装置１８のＳＯＣに基づいて回生電流を算出し、１回の制動中（１回の回生発電中）において、回生電流は算出した回生電流のまま一定としている。又、回生発電を複数回行うことで一連の回生制御を実施すると共に、複数回の回生発電における各回の回生発電の回生電流を一定にしてもよい。これは、回生電流がバッテリ装置１８に供給されたとしても、すぐにＳＯＣに反映されないことを考慮して（電池電圧の変化に対して、ＳＯＣがすぐに変化しないことを考慮して）、１回の回生発電中における回生電流を一定にすることが好ましいことを考慮したものである。この場合、１回の回生発電中において回生電流は一定であるが、回生による電池電圧の上昇に応じて、回生電流が絞られて、減少していくので、電池電圧が上限電圧Ｖｕに到達する時間ｔにおいては、既に回生電流が減少している状態であり、その際の回生電流の変化及び回生トルクの変化が少なくなるので、ブレーキフィーリングの違和感を解消可能である。
【００２７】
（実施例２）
図５は、本実施例における制御を説明するフローチャートであり、図６は、図５に示した制御で用いるマップである。なお、本実施例の電動車両の回生制御装置は、実施例１（図１）に示した電動車両の回生制御装置と同じ構成でよいので、ここでは、その重複する説明は省略する。
【００２８】
本実施例の電動車両の回生制御装置においても、バッテリ装置１８の電池電圧が上限電圧に到達したとき、モータ１６の回生トルクを制限して、バッテリ装置１８に流す回生電流を制限するが、ＥＣＵ１９は、回生電流が制限された際の回生制動中の回生トルクの大きな変動を抑制するため、バッテリ装置１８の状態（ＳＯＣ及び電池温度）を監視し、そのＳＯＣ及び電池温度に応じた回生電流を求め、当該回生電流を越えないように、モータ１６の回生トルクを制御している。このような制御について、図１と共に、図５のフローチャート、図６のマップを参照して説明する。
【００２９】
まず、バッテリ装置１８から出力されるＳＯＣ、電池温度を監視する（ステップＳ１１）。電池温度については、例えば、前述した監視ユニット（温度検出手段）により、各電池の温度を監視している。又、バッテリ装置１８の電池温度を、ＥＣＵ１９（温度検出手段）により直接監視してもよい。このとき、電池温度は、バッテリ装置１８内の全電池の中で最低の温度となる電池温度が望ましい。
【００３０】
図６に示すＳＯＣ及び電池温度に対する回生電流の３Ｄマップから、出力されたＳＯＣ及び電池温度に対する回生電流を算出する（ステップＳ１２）。算出した回生電流は、当該条件下において流すことができる最大の電流値（上限値）を意味する。なお、図６に示す３Ｄマップにおいて、ＳＯＣに対する回生電流は、ＳＯＣが所定値未満の場合（例えば、満充電の半分より小さい場合）は略一定の大きさであるが、所定値以上となると、ＳＯＣが大きくなるにしたがって、回生電流を小さくしており、又、電池温度に対する回生電流は、電池温度が低いと回生電流も低くしているが、電池温度が高くなるにしたがって、回生電流も大きくしている。
【００３１】
そして、算出した回生電流を越えないように、モータ１６の回生トルクをインバータ１７へ指示する（ステップＳ１３）。つまり、バッテリ装置１８のＳＯＣ、電池温度に応じて、回生電流を変更しており、ＳＯＣが所定値以上であれば、ＳＯＣが大きくなるにしたがって、回生電流を小さくし、電池温度が高くなるにしたがって、回生電流も大きくしている。これにより、電池温度にも対応して最適な回生電流を発生させることができる。又、回生電流を算出するために、電池温度も考慮することで、好適な充電が可能になると共に電池の劣化を抑制することもできる。このような制御を行うと、図４で示したように、回生が行われる度に電池電圧は上昇していくが、電池電圧の上昇に応じて、ＳＯＣが大きくなるため、所定値以上のＳＯＣでは、回生電流が絞られて、減少していく。そのため、電池電圧が上限電圧Ｖｕに到達する時間ｔにおいては、既に回生電流が減少している状態であるので、従来のように回生電流を一気に大きく減少させる必要はない。その結果、電池電圧が上限電圧Ｖｕを上回らないように、回生電流を制御でき、又、電池電圧が上限電圧付近まで高まっている際の回生電流の変化及び回生トルクの変化が少なくなるので、ブレーキフィーリングの違和感を解消することができる。
【産業上の利用可能性】
【００３２】
本発明に係る電動車両の回生制御装置は、電気自動車に好適なものであるが、電気自動車に限らず、ハイブリッド車等の電動車両にも適用可能である。
【符号の説明】
【００３３】
１０  車両
１６  モータ（モータジェネレータ）
１８  バッテリ装置（バッテリ）
１９  ＥＣＵ
【図１】
0005733073.tif 000002
【図２】
0005733073.tif 000003
【図３】
0005733073.tif 000004
【図４】
0005733073.tif 000005
【図５】
0005733073.tif 000006
【図６】
0005733073.tif 000007
【図７】
0005733073.tif 000008